(57)【要約】【課題】  入れ歯から、入れ歯の持ち主を瞬時に判断することにあり、入れ歯の持ち主が自分自身の身元を証明できない場合や、認知症等の症病である徘徊による迷子時の捜索方法、入れ歯から必要な情報を引き出す手段とその情報を有効活用することを課題とする。【解決方法】  入れ歯に電子タグを組み込み、電子タグを読取装置や読取受信可能な受信装置で、インターネット回線の利用または直接登録されている電子タグ固有の識別情報に関する情報を引き出し照合すこととＧＰＳを使っての追跡捜索を可能とする。【選択図】図１
0003139635.tif 000002
【実用新案登録請求の範囲】
【請求項１】
入れ歯に電子タグ（ICチップとアンテナにより構成され、物品等に装着されるものであって、その中に当該物品等の識別情報その他の情報を記録し、電波を利用することにによりこれらの情報の読み取り又は書き込みができるものをいう）を内臓することにおいて、非接触型読取装置や受信装置で信号を読み取り、入れ歯に付された固有の識別情報を管理し、電子タグの情報と関連づけられた情報をデータベースから参照して表示端末に情報を取り出すことを特徴とするシステム。
【請求項２】
前記電子タグ内蔵の入れ歯は、受信装置で信号を受信し、固有の識別コードを検索することによって、事前に登録されている個人情報をデータベースから参照し、受信装置の設置位置情報又はＧＰＳにより個人の位置を特定できることを特徴とするシステム。
【請求項３】
前記電子タグ内蔵の入れ歯は、固有の識別情報を持つことで、鍵や身分証明及び固有の情報管理ができ、医療連携ネットワークの仕組みを使えば、他の医院でも情報を共有できることを特徴とするシステム。
【請求項４】
前記電子タグ内蔵の入れ歯とは別に、義歯床部に固有の識別情報や名前のシールを埋め込み、容易に識別管理できる事を特徴とするシステム。 
【考案の詳細な説明】
【技術分野】
【０００１】
本考案は、個人を容易に特定することが可能になる、電子タグ内蔵の入れ歯に関するものである。
【背景技術】
【０００２】
従来、入れ歯は入れ歯としての機能のみのものであり、入れ歯を必要とする者が歯科医の診断を受けることにより、歯科医は石膏を使って歯型を作成し、歯型を元に歯科技工士が入れ歯を作成しており、その入れ歯や歯に関する情報はその医院で管理している。
【０００３】
そのため、紛失時に警察へ届出があっても、入れ歯本人への連絡もできず、本人が訪れるまで待つしかなく、本人が現れて身分証明を提出したとしても、入れ歯と本人を直接結び付けることができないまま、本人の判断に依存している。
【０００４】
別の医院で再度入れ歯を作る場合、その病院には型も情報もないため最初からつくっている。
【０００５】
認知症などの徘徊者を探す場合、ＧＰＳ付き携帯電話もしくは、携帯タイプの電子タグを持たせるようにして場所を特定している。
【０００６】
アメリカの米国医師会では皮下に電子タグを埋め込むことにより「治療の安全性と効率性」が図れるとする指針が採択されているが、電子タグが体内で他の部位に移動してしまう懸念もあり、さらに自動体外除細動器（AED）などの電子機器に干渉する可能性がある。
【特許文献１】特許第３７４２０４５号（Ｐ３７４２０４５）
【非特許文献１】特開２００３−０７０７５２号公報、特開２００５−１８９２２５（Ｐ２００５−１８９２２５Ａ）号公報、特開２００６−１７８５９１（Ｐ２００６−１７８５９１Ａ）
【考案の開示】
【考案が解決しようとする課題】
【０００７】
解決しようとする問題点は、入れ歯は持ち主固有のものであり、持ち主以外の者には使用できないものであるが、入れ歯には商品コードや持ち主の名前等の情報が記されているわけではないので、持ち主が保有していない場合に持ち主を判定すること、及び持ち主やその入れ歯に関する情報を取得することが難しい点である。
【０００８】
解決しようとする問題点は、入れ歯は通常寝ている間以外には常に装着を必要とするものであり、常に身につけるものであるが、歯の補充という本来の役割以外に使い道がないという点である。
【０００９】
解決しようとする問題点は、入れ歯の持ち主となる人間の口腔内に合わせて、オーダーメイドで作成するものであり、本人のみが使用する。つまり本人以外には使用することができないにもかかわらず、本人とのつながりが不明確で入れ歯によって持ち主の身元を証明するまでには至っていない点である。
【００１０】
解決しようとする問題点は、入れ歯を紛失した場合、行きつけ以外の病院では再度歯型を取って作り直さなければならず、時間も費用も要してしまう点である。
【００１１】
解決しようとする問題点は、高齢者増加に伴う入れ歯の需要が増える中、紛失するケースも増えており、拾い物として届け出ても個人が特定できず、持ち主本人への連絡もできず、本人が現れるまで待つしかなく、また本人の判断で判定する方法にしか頼ることしかできない点と、認知症を患っている老人などには、自分自身で入れ歯を本人のものと判断することが困難といえる点である。
【００１２】
解決しようとする問題点は、個人を特定する場合、「氏名、生年月日、性別、住所」が基本特定項目になっており、入れ歯を使用する者が、明確な身分証明を持ち合わせていない場合で認知症の徘徊による迷子時、発見されたとしても自らについて説明できない点である。
【００１３】
解決しようとする問題点は、電子タグを身に付けていた場合、自動体外除細動器（AED）などの電子機器に干渉する可能性がある点である。
【００１４】
解決しようとする問題点は、電子タグ固有の性質から他人が情報を読み取ってしまうことがある点である。
【００１５】
解決しようとする問題点は、超高齢化社会到来による認知症患者の徘徊による迷子などが社会問題化しており、ＧＰＳ付携帯電話は電子タグによる位置を特定し通知する仕組みは存在するが、認知症を患っている者が本人の意思で持ち歩ることは考えにくく、強引に本人に持たせても機器を捨てたり落としてしまう可能性もあり、維持費もまた割高で費用面からも有効であるとはいいがたい点である。
【００１６】
解決しようとする問題点は、現在の技術において個人を認証できるシステムは、声帯認証、指紋認証、顔面認証、網膜認証、血管認証などさまざまな認証装置が存在するが、生きていなければ個人を証明できないものばかりで、例えば身元不明で白骨化したような人間を特定することはできない点と、ＤＮＡや歯型で特定する事が可能ではあるが、専門的知識が必要であり費用も時間もかかる点である。
【課題を解決するための手段】
【００１７】
本考案は、上記課題を解決し目的を達成するための組織機能は次のように構成されている。
【００１８】
（１）入れ歯の義歯床部に電子タグを埋め込み、埋め込まれた電子タグと電子タグの識別情報と関連づけられた情報を記憶するデータベースに情報を登録しておき、非接触型の電子タグ読取装置や受信アンテナまたはコンピュータのキーボードを用いて直接電子タグの情報が読み込まれると、登録情報と照合を行いコンピュータや携帯電話などの表示端末に情報を表示する。各設備はインターネットのネットワーク方式又はコンピュータと有線又は無線によって繋がれ、情報の入力及び出力を容易かつ即座に行うことを可能とし、その情報を最新かつ活用的なものとすることを特徴とする。  
【００１９】
本考案は、入れ歯を紛失して拾い物による届出があった場合、（１）に記載されたシステムを導入することにより、持ち主の特定を容易にすることを特徴とする。
【００２０】
本考案は、入れ歯を使用する者が認知症による徘徊での迷子になり、身分を証明するものを持ち合わせていなかった場合、（１）に記載されたシステムを導入することにより、入れ歯の使用者の身元、連絡先といった情報を取得可能とすることを特徴とする。
【００２１】
本考案は、迷子になっている認知症の徘徊者を交差点や公園など町中に設置されている受信アンテナを使って、（１）に記載されたシステムを導入することにより、容易に発見できることを特徴とする。
【００２２】
本考案は、入れ歯の持ち主が住居外や施設外といった指定範囲外へ出たとき、（１）に記載されたシステムを導入することにより、監視及び管理できることを特徴とする。
【００２３】
本考案は、死亡している身元不明者を個人の特定ができない状況で発見された場合、（１）に記載されたシステムを導入することにより、身元を容易に割り出せることを特徴とする。
【００２４】
本考案は、行方不明となった場合又は過去の行動を把握したい場合、街中に設置されている受信アンテナ等の記録によって、行動を追跡できることを特徴とする。
【００２５】
本考案は、銀行などの金融機関での身分を証明する場合、（１）に記載されたシステムを導入することにより、身分証明としても有効であることを特徴とする。
【００２６】
本考案は、別の医院にて再度入れ歯をつくる場合など、（１）に記載されたシステムと医療連携ネットワークを利用することで、入れ歯に関する立体デジタル画像と詳細なデータを入手することが可能になり、どこでも容易に入れ歯を作れることを特徴とする。
【００２７】
本考案は、自動体外除細動器（AED）などの電子機器に干渉する可能性がある場合、口腔内から入れ歯を取り外すことで、電子機器との干渉がなくなることを特徴とする。
【００２８】
本考案は、他人に電子タグの識別情報を読み取られてたとしても、読み取った識別情報から個人を特定することも関連付けもできず、個人情報漏えい防止のための安全管理措置が取られており、プライバシーを守ることができることを特徴とする。
【００２９】
本考案は、（１）に記載されたシステムを導入することにより、関連づけて他の場所に情報を保管することも可能であることを特徴とする。
【００３０】
本考案は、電子タグを義歯床内部に埋め込むため、直接皮膚に触れる事もなく、人的にも無害であり、また電子タグの有効性を最大限に利用し、鍵や身分証明として情報の有効活用による公共性や地域性のなるものを目的とし、人体への影響や人権を侵害するような使い方をしないことを特徴とする。
【考案の効果】
【００３１】
本考案の電子タグ内蔵入れ歯は、従来入れ歯以外では使い道のないものが固有の識別情報を持つことで、情報の管理が容易になり、その情報を更に有効活用できるという利点がある。
【００３２】
本考案の電子タグ内蔵入れ歯は、常に身に付けているという利点を生かして、認知症の症状にある徘徊での迷子で保護された場合など、身分を証明する物を持ち合わせていなくとも、入れ歯の固有の識別情報から身元を割り出せるという利点がある。
【００３３】
本考案の電子タグ内蔵入れ歯は、情報の管理が容易になったことで、他の医院等でも歯型の立体画像データ及び詳細データから容易に同じものを作ることができ、時間の短縮と費用の軽減に貢献できるという利点がある。
【００３４】
本考案の電子タグ内蔵入れ歯は、入れ歯そのもを鍵として扱うことで遺言書やパスワードなど、持ち主及び持ち主に関係する人々にとって重要な情報を肌身離さず持ち歩くことができるという利点がある。
【００３５】
本考案の電子タグ内蔵入れ歯は、携帯電話の機器購入による費用及び維持費もなく、耐久性や耐年性にも優れており安価であるという利点がある。
【００３６】
本考案の電子タグ内蔵入れ歯は、体内に埋め込むわけではないので、身体的にも安全であり、容易に取替えや取り外しも可能であり、体内での部位移動してしまうことも、取り外すことで自動体外除細動器（AED）などの電子機器に干渉することもなく、また十分に人権が守られるという利点がある。米食品医薬品局（ＦDA）が現在、人体への埋め込みを認めているのは、「いったん埋め込むと情報更新できず、患者のプライバシーを守るため、記録できる情報は個人識別コードに限る」基準に適合している。
【００３７】
本考案の電子タグ内蔵入れ歯は、入れ歯を使用するものが遺言書等を残す場合、その書類を自らの側に置いておきたいと願ったり、自らの死後に残したいメッセージであったときに、入れ歯を鍵として重要な情報を残しておくことによって本人の意思を尊重し、本人にとって身近な存在として重要な情報を安全に保管することも可能であるという利点がある。
【考案を実施するための最良の形態】
【００３８】
本考案の電子タグ内蔵入れ歯は、義歯床部に電子タグを埋め込み、識別情報にて情報を管理するという目的を、最小の部品構成と作業工程で、人体への影響もなく入れ歯の機能も損なわずに実現した。
【実施例１】
【００３９】
図１は、個人を特定するための識別情報が登録されている電子タグ１２と、電子タグのアンテナ１１が義歯床部１０に埋め込まれ、アンテナ１１表面には目で読み取り可能な電子タグの識別情報が書かれていて容易に判別と管理ができるようになっている。また右図はＩＣチップを埋め込んだ時の断面図を示すものである。
【００４０】
図１は、入れ歯に電子タグを埋め込む祭に、使用する者の同意もしくは了承を得た時に作成するか、電子タグを埋め込んでいても了承を得なければ勝手に識別情報に関する情報を開示したり有効利用できないものである。
【実施例２】
【００４１】
図２は、医院内で入れ歯に埋め込まれた電子タグ情報の電波２０を、読取装置２１が受信して読み取り、医院内に設置されているコンピュータ２５を無線２２又は有線２３で読取装置と接続して電子タグの識別コードを読み込む。読取装置を使わない場合は、図１のアンテナ１１部に書き込まれている識別コードを目で読み取りキーボードを使って直接入力する事もできる。医療連携ネットワーク技術を用いて、インターネット回線２６でホストコンピュータ２７と接続することで、データの共有を可能とする。ホストコンピュータ２７に識別コードに関する情報を登録しておくことで、紛失して拾い物の届出があった場合にでも、ホストコンピュータ２７に外部から安全に接続して検索することで容易に持ち主を割り出すことが可能である。ただし利用者には制限があるものとする。
【実施例３】
【００４２】
図３は、入れ歯の持ち主３２がＧＰＳ衛生３４や特定の位置に設置してある受信装置３３に通りかかった場合、電子タグの情報が読み込まれ、インターネット回線３０でその情報がホストコンピュータ３１に伝えられ、インターネット回線３０を介して携帯メール３５で位置を示す情報を家族などの携帯電話等３６や家族のコンピュータ等３７に通知するものである。
【００４３】
図３は、Ａ医院３８とＢ医院４０が情報を共有する場合の仕組みとして、Ａ医院３８の医療情報３９を安全にインターネット回線３０を使って、医療連携ネットワークのホストコンピュータ３１に医療情報３９を送り、Ｂ病院４０はその情報を安全にインターネット回線３１を使って見ることができ、逆にＡ医院３８はＢ医院４０の医療情報４１を見ることができる。ただしＡ医院３８とＢ医院４０との間では信頼関係が成立っている上で、相手の情報が見る「ことのできるソフトウェアを装備している必要がある。また単に情報が見れるだけでなく、例えば立体３次元画像データの情報提供等により、他の医院でも入れ歯の型をとることなく容易に作ることもでき、歯科医療電子カルテの情報共有も可能である。
【産業上の利用可能性】
【００４４】
歯の補充という本来の役目のみであった入れ歯を、電子タグを組み込むことによって、入れ歯の持ち主の判別がしづらいという課題を解決し、入れ歯は常に身につけるものであり、持ち主固有のものであるという特性を生かし更なる発展と可能性がある。
【図面の簡単な説明】
【００４５】
【図１】実施の形態に関わる電子タグ内蔵の入れ歯の電子タグ概要を示す図である。
【図２】実施の形態に関わる電子タグ内蔵の入れ歯の電子タグ情報システム概要を示す図である。
【図３】実施の形態に関わる電子タグ内蔵の入れ歯のシステム機能概要を示す図である。
【符号の説明】
【００４６】
１０  義歯床部
１１  電子タグのアンテナ部
１２  電子タグ
２０  電子タグ電波
２１  非接触型電子タグ読取器
２２  無線電波
２３  コンピュータ間有線
２４  キーボード
２５  コンピュータ
２６  インターネット回線
２７  ホストサーバー
３０  インターネット回線
３１  ホストコンピュータ
３２  入れ歯利用者
３３  電波受信アンテナ
３４  ＧＰＳ衛生
３５  インターネットメール
３６  携帯電話
３７  コンピュータ
３８  A医院コンピュータ
３９  Ａ医院医療データ
４０  Ｂ医院コンピュータ
４１  Ｂ医院医療データ
【図１】
0003139635.tif 000003
【図２】
0003139635.tif 000004
【図３】
0003139635.tif 000005